(57)【要約】【課題】電気掃除機用の吸口でモータ等の回転力を回転ブラシへ伝えるもののうち、二つの噛合い部を用いて、回転ブラシの着脱性を向上させたものにおいて、使用中にスラスト方向のガタが原因で発生する異音や、噛合い部の合わせ面で歯飛びが発生する可能性がある。【解決手段】吸口の回転ブラシを噛合い部の合わせ面に向け、スラスト方向へ付勢する付勢手段を設けることにより、スラスト方向のガタを無くし、異音、歯飛びの可能性を無くすことを可能とした。又、熱膨張・塵埃の入り込みについても付勢手段を弾性体とすることで、対応可能となる。【選択図】図１
2008099924.tif 000002
【特許請求の範囲】
【請求項１】
底面に開口部を有する下ケースに上ケースを被着して形成された吸口本体と、前記吸口本体に、噛合い部Bを端部に備え回転可能に配置された回転ブラシと、前記回転ブラシの噛合い部Bと対向し回転方向に結合して回転を伝えるもう一つの噛合い部Aを備えた電気掃除機の吸口において、前記回転ブラシを二つの噛合い部A,Bの結合するスラスト方向へ付勢する弾性体による付勢手段を設けたことを特徴とする電気掃除機の吸口。
【請求項２】
前記弾性体に板バネを用いたことを特徴とする請求項１記載の電気掃除機の吸口。
【請求項３】
前記弾性体に軟質材を用いたことを特徴とする請求項１記載の電気掃除機の吸口。
【請求項４】
前記弾性体に前記上ケース、前記下ケース又は、前記回転ブラシを保持する軸受カバーより伸ばしたリブを用いたことを特徴とする請求項１記載の電気掃除機の吸口。
【発明の詳細な説明】
【技術分野】
【０００１】
本発明は電気掃除機の吸口に関するものである。
【背景技術】
【０００２】
以下、図２を用いて説明する。
【０００３】
電気掃除機の吸口の回転ブラシ201は、掃除機の吸気風を利用し、回転ブラシ201自身が回転力を発生するもの、又は、モータ等の回転力を回転ブラシへ伝えるものの二種類である。
【０００４】
モータ等の回転力を回転ブラシ201へ伝えるもののうち、二つの噛合い部A,B202，203を用い使い勝手を向上させたものがある（特許文献１、２）。この電気掃除機用吸口301において、回転ブラシの端部は、片側は噛合い部A，B202，203の噛合せによって把持され、回転ブラシのもう一方の端部の軸受204は上ケース205及び、下ケース206から構成される吸口本体207と、その下部に配置される軸受カバー208によって把持される。
【０００５】
これにより、回転ブラシ201を取り外す際は、軸受カバー208を取り外すだけで、容易に取り外すことが可能となっている。
【０００６】
【特許文献１】特許第3072211号
【特許文献２】特許第3594173号
【発明の開示】
【発明が解決しようとする課題】
【０００７】
上記記載の背景技術において、回転ブラシを吸口本体に組み込んだ際、使用環境の変化による熱膨張の影響や塵埃の入り込みを考慮し、スラスト方向にはガタを持たしてある。そのため、使用中にガタが原因で発生する異音や、噛合い部A,Bの噛み合わせ面で歯飛びが発生する可能性がある。本発明の目的は、上記問題を解決し、熱膨張や、塵埃の影響を受けず、異音の発生、歯飛の可能性を無くすことにある。
【課題を解決するための手段】
【０００８】
上記の目的を達成する為に、本発明の特徴とするところは、底面に開口部を有する下ケースに上ケースを被着して形成された吸口本体と、前記吸口本体に、噛合い部Bを端部に備え回転可能に配置された回転ブラシと、前記回転ブラシの噛合い部Bと対向し回転方向に結合して回転を伝えるもう一つの噛合い部Aを備えた電気掃除機の吸口において、前記回転ブラシを二つの噛合い部側へ付勢する、弾性体による付勢手段を設けたことによる。
【０００９】
又、上記記載の電気掃除機の吸口において、前記弾性体に板バネを用いたことを特徴としたことによる。
【００１０】
又、上記記載の電気掃除機の吸口において、前記弾性体に軟質材を用いたことを特徴としたことによる。
【００１１】
又、上記記載の電気掃除機の吸口において、前記弾性体に前記上ケース、又は前記下ケースより伸ばしたリブを用いたことを特徴としたことによる。
【発明の効果】
【００１２】
本発明によれば、回転ブラシを吸口本体に組み込んだ際、回転ブラシは付勢手段により、噛合い部側へ常時付勢されている。そのため、スラスト方向のガタを無くすことが出来、異音や歯飛びを防止することが可能となる。又、熱膨張により、吸口本体、回転ブラシの長さが変化した場合や、塵埃が挟まった際も、付勢手段が弾性変形することにより対応が可能となる。
【００１３】
又、上記弾性体に板バネを用いることにより、付勢手段の部品点数を最小限に出来、構造を簡略化することが出来る。
【００１４】
又、上記弾性体に軟質材を用いることで、回転ブラシと吸口本体間のわずかな振動も吸収出来るようになり、消音化が可能となる。
【００１５】
又、上記弾性体を上ケース、下ケースより伸ばした一体のリブで形成することにより、低コスト化が可能となる。
【発明を実施するための最良の形態】
【００１６】
以下、本発明の実施の形態の一例を添付の図面に基いて説明する。
【００１７】
図３は、本発明の実施の形態の一例に係わる電気掃除機の全体外観図である。
【００１８】
図３において、304は集塵室及び、電動送風機を収容する掃除機本体、305は掃除機本体304の前部に接続され集塵室と連通するホース継手、303はホース継手305に回動可能に接続されたホース、306はホース303が回動可能に接続され、掃除機の運転の入切を行うスイッチ手段を有する手元操作部、302は手元操作部306に接続された伸縮可能な延長管、301は延長管302に接続され掃除面の塵埃を吸込む吸口である。
【００１９】
図７、図１は本発明の実施の形態の一例に係わる吸口301の中央断面図及び、下面側からみた斜視図（回転ブラシ取り付け前）である。図８は吸口301の一部を断面とした平面図である。
【００２０】
掃除機は掃除機本体304で発生した吸引力により、ホース303と延長管302と延長間接続管701を介して下ケース206の開口部101より被清掃面の塵埃を本体の集塵室内に搬送するようにする。この吸口301は吸口前側部に形成した左右（幅）方向に長い横長のブラシ室102に回転自在に収容した回転ブラシ201を設けている。この回転ブラシ201は端部に噛合い部B203が配置されており、使用時には噛合い部A202、及び軸受204により回転可能に把持される。又、駆動用モータ801の回転力はベルト802を介しプーリ803に伝えられ、更に噛合い部A,B202，203を結合させることにより回転ブラシ201が回転する。
【００２１】
吸口301の後端部には、左右（幅）方向の中央部に位置して延長管継手部702を突設し後方に水平な状態から垂直状態まで起伏するように回動可能に延長管接続管701をとりつける。又、この延長間接続管701は、左右（幅）方向に180度の範囲で回動可能であり、その一端をブラシ室102、開口部101とに連通し、他端は延長間302に接続されている。
【００２２】
吸口本体207には、回転ブラシ201を噛合い部A,B202,203側へ付勢する付勢手段103が設けてある。回転ブラシ201は吸口本体207に配置される際、常に噛合い部203側へ付勢されるのでスラスト方向のガタを無くすことが出来、異音の発生、歯飛びの可能性を無くすことが可能となる。熱膨張や、塵埃の噛み込みに対しても付勢手段が弾性変形することで、対応可能となる。
【００２３】
図４は本発明の実施の形態の一例にかかわる吸口301の部分拡大図及び、断面図である（図１ Ｐ部）。
【００２４】
吸口本体207には板バネ401が配置されており、回転ブラシ201を組み込んだ際、軸受204が板バネ401を押し込む。その際、板バネ401の戻ろうとする弾性力により付勢力を得ることが出来る。これにより、スラスト方向のガタを無くすことが出来、異音の発生、歯飛びの可能性を無くすことが可能となる。熱膨張や、塵埃の噛み込みに対しても板バネ401の弾性変形により対応可能となる。更に、板バネ401を吸口本体207に開けた板バネ取付溝402を用いて保持することで、板バネ401単体で回転ブラシ201を付勢する付勢手段となり、他部品が必要なくなり構造が簡略化される。
【００２５】
図５は本発明の実施の形態の一例にかかわる吸口301の部分拡大図及び、断面図である。
【００２６】
吸口本体には軟質材501が貼り付けてあり、回転ブラシ201を組み込んだ際、軸受204が軟質材501を押しこむ。その際、軟質材501が変形し、戻ろうとする弾性力により付勢力を得ることが出来る。これによりスラスト方向のガタを無くすことが出来、異音の発生、歯飛びの可能性を無くすことが可能となる。熱膨張や、塵埃の噛み込みに対しても軟質材501が変形することで対応可能となる。更に軸受と、吸口本体207、軸受カバー208が接する箇所に軟質材を配置すれば消音効果も期待出来る。
【００２７】
図６は本発明の実施の形態の一例にかかわる吸口301の部分拡大図及び、断面図である。
【００２８】
下ケース206に、ベロ状のリブ601が配置されており、回転ブラシ201を組み込んだ際、軸受204がリブ601を変形させ、リブ601の戻ろうとする弾性力により、付勢力を得ることが出来る。これにより、スラスト方向のガタを無くすことが出来、異音の発生、歯飛びの可能性を無くすことが可能となる。熱膨張や、塵埃の噛み込みに対してもリブの弾性変形により対応可能となる。リブ601を直接シタケース206より設けることで、付勢手段へかかるコストが削減出来る。尚リブ601を軸受カバー502、ウエケース205から設けてもよい。
【図面の簡単な説明】
【００２９】
【図１】本発明の実施の形態の一例に係わる電気掃除機の吸口の下面側からみた斜視図である（回転ブラシ取り付け前）。
【図２】(a)は従来の電気掃除機の吸口の下面側からみた斜視図（使用状態）、(b)は従来の電気掃除機の吸口の下面側からみた斜視図(軸受カバーを取り外した状態)、(c)は従来の電気掃除機の吸口の下面側からみた斜視図である（回転ブラシ取り付け前）。
【図３】本発明の実施の形態の一例に係わる電気掃除機の本体外観図である。
【図４】(a)は本発明の実施の形態の一例にかかわる吸口の図1P部拡大図、(b)は図４(a)のA-A断面である。
【図５】(a)は本発明の実施の形態の一例にかかわる吸口の図1P部拡大図、(b)は図５(a)のA-A断面である。
【図６】(a)は本発明の実施の形態の一例にかかわる吸口の図1P部拡大図、(b)は図６(a)のA-A断面である。
【図７】本発明の実施の形態の一例に係わる吸口の中央断面図である。
【図８】本発明の実施の形態の一例に係わる吸口の一部を断面とした平面図である。
【符号の説明】
【００３０】
101…開口部、102…ブラシ室、103…付勢手段、201…回転ブラシ、202…噛合い部A、203…噛合い部B、204…軸受、205…上ケース、206…下ケース、207…吸口本体、208…軸受カバー、301…吸口、302…延長管、303…ホース、304…掃除機本体、305…ホース継手、306…手元操作部、401…板バネ、402…板バネ取付溝、501…軟質材、502…軸受カバー、601…リブ、701…延長間接続部、702…延長間継手、801…駆動用モータ、802…ベルト、803…プーリ。
【図１】
2008099924.tif 000003
【図２】
2008099924.tif 000004
【図３】
2008099924.tif 000005
【図４】
2008099924.tif 000006
【図５】
2008099924.tif 000007
【図６】
2008099924.tif 000008
【図７】
2008099924.tif 000009
【図８】
2008099924.tif 000010